(57)【要約】【課題】バストの補整機能及び優れた造形性を有しつつ、カップ部に対するずれ動きの生じないパッド、並びにカップ部を有する衣類のパッド装着構造を、面ファスナや粘着テープを用いること無く提供する。【解決手段】カップ部１と、これの内側に配置されて使用されるパッドＰとを有したカップ部を有する衣類のパッド装着構造において、パッドＰがカップ部１と乳房との間に配置されて着用される装着状態においては、カップ部１の内側生地７と、これに当接自在なパッドＰの表地１４との当接構造より生ずる摩擦力により、カップ部１とパッドＰとの相対位置ずれを阻止する位置ずれ防止手段Ｙを構成する。カップ部１の内側生地７がパイルであり、パッドＰの表地１４がマイクロファイバー糸による生地で形成されている。【選択図】図５  
2005320666.tif 000002
【特許請求の範囲】
【請求項１】
カップ部を有する衣類のカップ部の内側に配置して使用するパッドであって、
前記カップ部の内側に配置されて装着される使用状態においては、前記カップ部の内側生地に当接される表地に、これが前記内側生地に対してその面に沿う方向へ相対移動することを、前記カップ部の内側生地と当接される前記表地との間に働く摩擦力により阻止するずれ動き防止手段が構成されているパッド。
【請求項２】
前記ずれ動き防止手段は、前記表地をウーリー糸又はマイクロファイバー糸による生地で形成することで構成されている請求項１に記載のパッド。
【請求項３】
バージスラインから乳房に沿って湾曲した形状に形成されている請求項１又は２に記載のパッド。
【請求項４】
カップ部と、これの内側に配置されて使用されるパッドとを有したカップ部を有する衣類のパッド装着構造であって、
前記パッドが前記カップ部と乳房との間に配置されて着用される装着状態においては、前記カップ部の内側生地と、この内側生地に当接自在な前記パッドの表地との当接構造より生ずる摩擦力により前記カップ部と前記パッドとの相対位置ずれを阻止する位置ずれ防止手段が構成されているカップ部を有する衣類のパッド装着構造。
【請求項５】
前記カップ部の内側生地がパイルであり、前記パッドの表地がウーリー糸又はマイクロファイバー糸による生地で形成されている請求項４に記載のカップ部を有する衣類のパッド装着構造。
【請求項６】
前記パッドが、バージスラインから乳房に沿って湾曲した面状に成形されている請求項４又は５に記載のカップ部を有する衣類のパッド装着構造。
【請求項７】
前記カップ部の内側に、前記パッドの出し入れが自在な袋状のポケット部が形成されている請求項４〜６のいずれか一項に記載のカップ部を有する衣類のパッド装着構造。
【発明の詳細な説明】
【技術分野】
【０００１】
本発明は、ブラジャー等のカップ部を有する衣類において用いられるパッドに係り、詳しくは、装着時におけるカップ部とのズレ動きが生じないパッドに関する。
【背景技術】
【０００２】
ブラジャー等のカップ部を有する衣類には、豊満さを強調したり、バストの造形性を高めるための補整部材として、カップ部の内側に配置して使用されるパッドを用いることが多い。パッドには、カップ部とほぼ同じ程度の大きなものや、部分的に補整する小型のものがあり、いずれも着用時にはカップ部と乳房との間に介装されて使用される。前者の例としては特許文献１において開示されたものが知られており、後者の例としては特許文献２において開示されたものが知られている。
【特許文献１】実開平５−６２５１３号公報
【特許文献２】実開平３−２９２８５号公報
【発明の開示】
【発明が解決しようとする課題】
【０００３】
パッドとしては、一定の厚みを持つ弾性体を成形したものが多く用いられるが、このようなパッドをカップ部の内側に装着した衣類を着用していると、時間の経過や身体の動作等によって、パッドがカップ部に対して移動すること、即ち、横ずれやずり下がり等がしばしば起り、それによって着用に違和感が生じるようになる。
【０００４】
そのため、従来のカップ部を有するブラジャー等の衣類においては、カップ部の内側とパッドとを面ファスナや粘着テープを用いて当接させることにより、着用時におけるパッドのずれ動きを解消させる手段を採ることが試された。しかしながら、これよると次のように新たな不都合が生じることが分かってきた。
【０００５】
即ち、パッドはカップ部と同様に、直接肌に装着するので乳房に優しく当たることが要求されるが、上記のずれ動き解消手段では、ブラジャーを数時間装着していると、面ファスナーや粘着テープ部分が比較的強く当たることから身体に局部的に感じられるようになり、違和感や不快感を生じることがある、というものである。
【０００６】
本発明は、上記問題点を解決し、バストの補整機能及び優れた造形性を有しつつ、カップ部に対するずれ動きの生じないパッド、並びにカップ部を有する衣類のパッド装着構造を、面ファスナや粘着テープを用いること無く提供することを目的とする。
【課題を解決するための手段】
【０００７】
請求項１の構成は、カップ部を有する衣類のカップ部の内側に配置して使用するパッドにおいて、
前記カップ部の内側に配置されて装着される使用状態においては、前記カップ部の内側生地に当接される表地に、これが前記内側生地に対してその面に沿う方向へ相対移動することを、前記カップ部の内側生地と当接される前記表地との間に働く摩擦力により阻止するずれ動き防止手段が構成されていることを特徴とする。
【０００８】
請求項２の構成は、請求項１に記載のパッドにおいて、前記ずれ動き防止手段は、前記表地をウーリー糸又はマイクロファイバー糸による生地で形成することで構成されていることを特徴とする。
【０００９】
請求項３の構成は、請求項１又は２に記載のパッドにおいて、バージスラインから乳房に沿って湾曲した形状に形成されていることを特徴とする。
【００１０】
請求項４の構成は、カップ部と、これの内側に配置されて使用されるパッドとを有したカップ部を有する衣類のパッド装着構造において、
前記パッドが前記カップ部と乳房との間に配置されて着用される装着状態においては、前記カップ部の内側生地と、この内側生地に当接自在な前記パッドの表地との当接構造により生ずる摩擦力により、前記カップ部と前記パッドとの相対位置ずれを阻止する位置ずれ防止手段が構成されているカップ部を有することを特徴とする。
【００１１】
請求項５の構成は、請求項４に記載のカップ部を有する衣類のパッド装着構造において、前記カップ部の内側生地がパイルであり、前記パッドの表地がウーリー糸又はマイクロファイバー糸による生地で形成されていることを特徴とする。
【００１２】
請求項６の構成は、請求項４又は５に記載のカップ部を有する衣類のパッド装着構造において、前記パッドが、バージスラインから乳房に沿って湾曲した面状に成形されていることを特徴とする。
【００１３】
請求項７の構成は、請求項４〜６のいずれか一項に記載のカップ部を有する衣類のパッド装着構造において、前記カップ部の内側に、前記パッドの出し入れが自在な袋状のポケット部が形成されていることを特徴とする。
【発明の効果】
【００１４】
請求項１の構成によれば、パッドに設けられたずれ動き防止手段により、カップ部を有する衣類のカップ部の内側に配置して使用される状態では、カップ部の内側生地に対してその面に沿う方向へ相対移動することが、前記カップ部の内側生地と当接される前記表地との間に働く摩擦力により阻止されるようになる。従って、バストの補整機能及び優れた造形性を有しつつ、カップ部に対するずれ動きの生じないパッドを、面ファスナや粘着テープを用いること無く、構造簡単で経済的に提供することができる。
【００１５】
この場合、請求項２のように、パッドの表地をウーリー糸又はマイクロファイバー糸による生地で形成することができる。また、請求項３のように、バージスラインから乳房に沿って湾曲した形状のパッドとすれば、カップ部の内側における配置場所を選択設定することが可能になり、乳房の形や好み等、必要に応じて装着箇所を選択設定可能となる利点あがる。
【００１６】
請求項４の構成によれば、パッドとカップ部とで構成される位置ずれ防止手段により、パッドがカップ部と乳房との間に配置されて着用される装着状態では、カップ部と、これの内側に配置して使用されるパッドとの相対移動が阻止されるようになる。従って、バストの補整機能及び優れた造形性を有しつつ、カップ部に対するずれ動きの生じないパッド装着構造を、面ファスナや粘着テープを用いること無く、構造簡単で経済的にカップ部を有する衣類に適用して提供することができる。
【００１７】
この場合、請求項５のように、パッドの表地をウーリー糸又はマイクロファイバー糸による生地で形成し、カップ部の内側生地をパイルとすれば、糸と起毛との引っ掛かりが顕著に生じて、面方向の摩擦係数を明確に従来よりも大とすることができ、それによってパッドのずれ動きをより強力に阻止することができる。また、請求項６のように、パッドを、バージスラインから乳房に沿って湾曲した面状に成形すれば、バスト下部のボリュームアップや造形補整のみならず、左右横側やカップ部の上部にパッドを配置して使用することが可能であり、乳房の形や好み等、必要に応じてパッドの装着箇所を選択設定可能となる利点あがる。
【００１８】
請求項７の構成によれば、パッドを、カップ部の内側に形成された袋状のポケット部に出し入れ自在であるから、パッドをポケット部に入れ込んで使用することが可能になる。これによれば、摩擦面積が増えて、パッドのずれ動き阻止効果が強化されるとともに、着替え時等においてパッドを紛失するおそれが大きく改善され、不測のパッド紛失おそれが解消可能という実用上の効果も得られる。
【発明を実施するための最良の形態】
【００１９】
以下に本発明によるカップ部を有する衣類及びパッドを、ブラジャーのパッド装着構造について図面を参照しながら説明する。図１，２はパッド使用が自在なブラジャーの正面図、カップ部の背面図であり、図３〜図５はパッドの形状や構造を示す正面図、矢視図、断面図である。
【実施例１】
【００２０】
ブラジャーＡは、図１に示すように、概略、左右一対のカップ部（乳房カップ）１と、支持部２と、左右一対の肩ストラップ（肩紐）３と、支持部２の背中に取付けられた係脱自在のホック６とから構成されている。支持部２は、左右のカップ部１を、その下方部位において連結一体化する前中心布部４と、これらカップ部１と前中心布部４とを背側において連結するバック部５とから構成される。
【００２１】
カップ部１は、着用時に外から見える生地である外カップ布１Ａと、この外カップ布１Ａの内側（乳房側）の内カップ布１Ｂを含み、これらを接ぎ線ｔで縫着することによりカップ形状に立体成型される。内カップ布１Ｂのさらに内側（乳房側）には地肌に接触することとなる最内カップ布７が、その周囲を縫着することで一体的に設けられており、その上部外側の部分は、内カップ布１Ｂに逢着されない出入れ縁７ａに形成されている。
【００２２】
この出入れ縁７ａを設けたことで、これと内カップ布１Ｂとの間が出入れ口８となり、後述するパッドＰを、内カップ布１Ｂと最内カップ布７との間の袋状のポケット部１８に挿入、及び抜出しが自在に構成されている。最内カップ布７はパイル地で形成されている。
【００２３】
左右のカップ部１を胸側において連結する前中心布部４は、前中心を中心として左右のカップ部１の下方で外側部位どうしに渡る範囲の部分として形成されており、着用者のバスト下部にフィットするように凹型に湾曲した上縁湾曲部４ａを有し、このアンダー部分４ａの上縁湾曲部がカップ部１の下縁湾曲部に縫着されている。バック部５は、ホック６を構成するループ状の係合金具（図示省略）が逢着された取付布部９を先端に有する左バック部５Ｌと、前記係合金具に係脱自在な鉤状金具６ａが逢着された取付布部１０を先端に有する右バック部５Ｒとから構成される。
【００２４】
このブラジャーＡのカップ部１の内側に配置されて使用されるパッドＰについて説明する。パッドＰは、図３〜図５に示すように、正面視（ブラジャーＡの着用時における乳房からブラジャーを見る方向視を正面とする）形状が、カップ部１のバージスライン１１に沿う外周部１２を有する湾曲した略長円形であり、図３の矢視ｂ（図４参照）においては略流線型を呈している。そして、図３のａ−ａ線の断面形状（図５参照）は、外周部１２側では表地１４及び裏地１５が共に外側に膨らみ、かつ、内周部１３側では表地１４は膨らむが、裏地１５は抉れるような形状、即ち、横倒しの略雨滴形状に形成されている。
【００２５】
つまり、パッドＰは、バージスライン１１から乳房に沿って湾曲した形状に形成されており、カップ部１の最内カップ布７に当接する表地１４、乳房に接触する裏地１５、これら表地１４と裏地１５との間に介装される発泡ウレタンやスポンジ等から成るパッド部材１６、及び表地１４と裏地１５とを縫合一体化するべく前述の外周部１２と内周部１３とを有してループ状に形成された縁部１７から構成されており、ブラジャーＡ等のカップ部１を有する衣類のカップ部１の内側に配置して使用されるものである。
【００２６】
そして、カップ部１の内側に配置されて装着される使用状態においては、カップ部１の内側生地である最内カップ布７に当接される表地１４に、これが最内カップ布７に対してその面に沿う方向（図５の矢印イ方向）へ相対移動することを阻止するずれ動き防止手段Ｚが構成されている。ずれ動き防止手段Ｚは、パッドＰの表地１４及び裏地１５を、マイクロファイバー（シルフローラー）糸を用いて織られた布地とするものであり、最内カップ布７を構成するパイル地との摩擦係数を面ファスナ的に大きくすることにより摩擦力を大きくすることができる。
【００２７】
これはブラジャーＡとして見た場合には、パッドＰがカップ部１と乳房との間に配置されて着用されるブラジャーＡの装着状態においては、カップ部１の最内カップ部（内側生地の一例）７と、この最内カップ部７に当接自在なパッドＰの表地１４との当接構造により、カップ部１とパッドＰとの相対位置ずれを阻止する位置ずれ防止手段Ｙが構成されているのである。尚、表地１４及び裏地１５は、共にウーリー糸による布地で形成しても良い。
【００２８】
最内カップ布７は、ほぼカップ部１全体に亘る大きさに形成されているので、パッドＰは、図２に仮想線で示されるように、カップ部１のバージスライン１１に沿う下方位置に装着しても良いし、それ以外の箇所でも良く、ボリュームアップしたい箇所や造形補整したい箇所等、好みに応じ配置することが自在である。
【００２９】
また、前述したように、カップ部１の内側には、パッドＰの出し入れが自在な袋状のポケット部１８が形成されているから、パッドＰを出し入れ口８からポケット部１８内に挿入して使用することもできる。このように、ポケット部１８に入れて使用（図５に最内カップ布１１を仮想線で示す状態を参照）すれば、パッドＰの裏地１５と最内カップ布１１とが接触する接触摩擦に加えて、表地１４と内カップ布１Ｂとの接触摩擦も生じるので、パッドＰのずれ動き防止機能がより高まる位置ずれ防止手段Ｙとすることが可能である。
【００３０】
位置ずれ防止手段Ｙは、パッドＰのずれ動きが生じない程度に、パッドＰとカップ部１との摩擦係数を高める構成とすることであり、この要旨からすれば、上述したマイクロファイバー又はウーリーとパイルとの組み合わせ以外であっても良く、その場合におけるパッドＰの表地１４の布地（生地）がずれ動き防止手段Ｚとなる。
【００３１】
本発明のパッドＰのサイズは、特に限定されない。また、カップ部１はフルカップやハーフカップなど通常一般のカップと同様の形状であっても、カップ部の一部を構成するものであっても良い。また、具体的に、本発明のパッドを使用できるカップ部を有する衣類としては、ブラジャー以外に、水着、スポーツ用ブラジャー、レオタード、トップス、ブラスリップ、ブラキャミソール、ボディスーツ等、種々のものが挙げられる。
【００３２】
以上説明したように、本発明によるにおいては、パイル等の起毛加工された生地と、その起毛に引っ掛かり自在な根元部のみが支持された片持ち支持状の糸状体を多数有する生地とによる引っ掛かりを利用したものであり、ブラジャーのカップ部の裏地素材とパッドの素材との大なる摩擦により、面ファスナー無しでもカップ内で動かず、装着時にパッドがずれないとともに、種々のニーズに答えるべく、ボリュームアップさせたい場所に応じて自由に移動させることができる。また、カップ部のポケット部分にパッドを入れて使用すれば、使用中におけるパッドのずれ動き防止機能がさらに強化される利点もある。
【図面の簡単な説明】
【００３３】
【図１】ブラジャーの正面図
【図２】ブラジャーのカップ部の背面図
【図３】パッドの正面図
【図４】図３の矢視ｂによるパッドの形状を示す図
【図５】図３のａ−ａ線断面によるパッド等の形状を示す図
【符号の説明】
【００３４】
１          カップ部
７          内側生地
１１        バージスライン
１４        表地
１８        ポケット部
Ａ          ブラジャー
Ｐ          パッド
Ｙ          位置ずれ防止手段
Ｚ          ずれ動き防止手段
【図１】
2005320666.tif 000003
【図２】
2005320666.tif 000004
【図３】
2005320666.tif 000005
【図４】
2005320666.tif 000006
【図５】
2005320666.tif 000007